(57)【要約】【課題】  テレビ放送波の受信時に難視聴状態に陥った場合であってもユーザが認識可能な映像を画面上に表示させる。【解決手段】  携帯電話機１０の表示部１６は、テレビ放送波受信部１２により受信されたテレビ放送波に対応するテレビ番組を画面上に表示させる。電界強度判定部１４により電界強度測定部１３により測定された電界強度が閾値以下であるか否かを判定する。コンテンツ抽出部１５は、電界強度が閾値以下であると判定された場合に、無線信号受信部１１により受信された最新の基地局コードに基づいて、基地局コードに対応するコンテンツの表示時間を表示エリア格納部１Ａから抽出する。コンテンツ抽出部１５は、抽出された表示時間に基づいて、この表示時間内に再生可能なコンテンツをコンテンツ情報格納部１Ｂから抽出し、表示部１６は、抽出されたコンテンツを画面上に表示させる。【選択図】  図２
2005354316.tif 000002
【特許請求の範囲】
【請求項１】
無線信号を受信する無線信号受信手段と、
テレビ放送波を受信する放送波受信手段と、
前記放送波受信手段により受信されたテレビ放送波の電界強度を測定する電界強度測定手段と、
前記測定された前記電界強度が、予め設定された閾値以下であるか否かを判定する電界強度判定手段と、
前記判定において、前記電界強度が前記閾値以下であると判定された場合に、前記無線信号受信手段により受信された無線信号に含まれる位置情報ごとに予め設定された表示時間に基づいて、当該表示時間内に再生可能な一または複数のコンテンツを、予め記憶されたコンテンツ情報から抽出するコンテンツ抽出手段と、
前記抽出された前記コンテンツを、前記放送波受信手段により受信されたテレビ放送波に対応する番組に替えて画面上に表示させる表示手段と、
を備えることを特徴とする通信端末。
【請求項２】
前記コンテンツ抽出手段は、前記コンテンツの再生時間が前記表示時間以下であって、かつ前記コンテンツの再生時間が前記表示時間に最も近くなるように前記コンテンツを抽出することを特徴とする請求項１記載の通信端末。
【請求項３】
前記コンテンツが前記表示手段により表示された回数を、累積回数として前記コンテンツごとに記憶する記憶手段をさらに備え、
前記コンテンツ抽出手段は、前記記憶手段により記憶された累積回数が、予め設定された再生回数以上である場合に、当該累積回数に対応する前記コンテンツを、抽出対象から除外することを特徴とする請求項１または２に記載の通信端末。
【発明の詳細な説明】
【技術分野】
【０００１】
本発明は、テレビ機能を有する通信端末に関する。
【背景技術】
【０００２】
下記特許文献１には、テレビ機能を有する通信端末に関する技術であって、テレビ放送波の受信レベルが低過ぎてテレビ番組の視聴が困難な状態（以下、難視聴状態と記載する）に陥った場合であっても、テレビ放送波に対応するテレビ番組と同一の番組を表示させる技術が開示されている。より具体的に説明すると、通信端末が移動しながらテレビ放送波を受信しているときに、難視聴状態に陥った場合には、テレビ放送波に対応するテレビ番組と同一の番組を通信回線上に設けられたサーバから受信して表示させる技術が開示されている。
【特許文献１】特開２００４−４０３８０号公報
【発明の開示】
【発明が解決しようとする課題】
【０００３】
しかしながら、上述した技術では、通信端末とサーバ間にある通信回線が、例えば、回線障害等により使用が不可能な状況になった場合には、サーバからテレビ番組を受信することができない。したがって、このような状況で難視聴状態に陥った場合には、画面上にユーザが認識可能な映像を表示させることができない。
【０００４】
そこで、本発明は、上述した課題を解決するために、テレビ放送波の受信時に難視聴状態に陥った場合であってもユーザが認識可能な映像を画面上に表示させることができる通信端末を提供することを目的とする。
【課題を解決するための手段】
【０００５】
本発明の通信端末は、無線信号を受信する無線信号受信手段と、テレビ放送波を受信する放送波受信手段と、放送波受信手段により受信されたテレビ放送波の電界強度を測定する電界強度測定手段と、当該測定された電界強度が、予め設定された閾値以下であるか否かを判定する電界強度判定手段と、当該判定において、電界強度が閾値以下であると判定された場合に、無線信号受信手段により受信された無線信号に含まれる位置情報ごとに予め設定された表示時間に基づいて、当該表示時間内に再生可能な一または複数のコンテンツを、予め記憶されたコンテンツ情報から抽出するコンテンツ抽出手段と、当該抽出されたコンテンツを、放送波受信手段により受信されたテレビ放送波に対応する番組に替えて画面上に表示させる表示手段とを備えることを特徴とする。
【０００６】
この発明によれば、テレビ放送波の電界強度が閾値以下になった場合には、通信端末が在圏する位置ごとに定められた表示時間に基づいて、この表示時間内に再生可能な一または複数のコンテンツが抽出されるため、抽出されたコンテンツをテレビ放送波に対応する番組に替えて画面上に表示させることができる。したがって、テレビ放送波を受信しているときに難視聴状態に陥った場合であってもユーザが認識可能な映像を画面上に表示させることができる。また、表示時間内に再生可能なコンテンツが抽出されるため、位置情報ごとに定められた表示時間内に表示が完結するコンテンツのみを、画面上に表示させることができる。
【０００７】
本発明の通信端末において、コンテンツ抽出手段は、コンテンツの再生時間が表示時間以下であって、かつコンテンツの再生時間が表示時間に最も近くなるようにコンテンツを抽出することが好ましい。このようにすれば、位置情報ごとに定められた表示時間内に、より多くの完結するコンテンツを表示させることができる。
【０００８】
本発明の通信端末において、コンテンツが表示手段により表示された回数を、累積回数としてコンテンツごとに記憶する記憶手段をさらに備え、コンテンツ抽出手段は、記憶手段により記憶された累積回数が、予め設定された再生回数以上である場合に、当該累積回数に対応する前記コンテンツを、抽出対象から除外することが好ましい。このようにすれば、特定のコンテンツの表示を必要最小限に抑えることができ、抑えた分、再生回数に達していないコンテンツを表示させることができるため、再生回数に達するコンテンツを効率よく増加させることができる。
【発明の効果】
【０００９】
本発明に係る通信端末によれば、テレビ放送波の受信時に難視聴状態に陥った場合であってもユーザが認識可能な映像を画面上に表示させることができる。
【発明を実施するための最良の形態】
【００１０】
以下、本発明に係る通信端末の実施形態を図面に基づき説明する。なお、各図において、同一要素には同一符号を付して重複する説明を省略する。
【００１１】
図１は、実施形態における通信システム１の構成を例示する図である。図１に示すように、通信システム１は、携帯電話機１０（通信端末）およびコンテンツ管理サーバ２０を有する。携帯電話機１０とコンテンツ管理サーバ２０は、移動通信網を含む通信回線３０を介して接続されている。
【００１２】
携帯電話機１０は、自機が在圏する無線エリアをカバーする基地局４０と無線通信を行い、通話サービスあるいはパケット通信サービスを受ける通信端末である。また、携帯電話機１０は、テレビ放送局（不図示）から送信されるテレビ放送波を受信して画面上にテレビ番組を表示させるテレビ機能を有する。
【００１３】
なお、本実施形態における通信システム１では、通信端末の具体例として携帯電話機１０を用いて説明するが、通信端末の具体例はこれに限られず、例えば、テレビ機能を有する簡易型携帯電話機（ＰＨＳ）や、テレビ機能および通信機能を有する携帯型情報端末（ＰＤＡ）等の移動通信端末であってもよいし、テレビ機能を有するカーナビであってもよい。
【００１４】
次に、図２を参照して携帯電話機１０の機能構成について説明する。図２に示すように、携帯電話機１０は、無線信号受信部１１（無線信号受信手段）と、テレビ放送波受信部１２（放送波受信手段）と、電界強度測定部１３（電界強度測定手段）と、電界強度判定部１４（電界強度判定手段）と、コンテンツ抽出部１５（コンテンツ抽出手段）と、表示部１６（表示手段）と、送信部１７とを備えている。また、携帯電話機１０は、上記各部において用いられる各種データを格納する格納部として、表示エリア格納部１Ａ、コンテンツ情報格納部１Ｂ（記憶手段）およびユーザ情報格納部１Ｃを備えている。
【００１５】
無線信号受信部１１は、基地局４０から送信される無線信号を受信する。この無線信号には、例えば、自機が在圏する基地局４０を一意に特定するための基地局コード（位置情報）が含まれる。無線信号受信部１１は、受信した基地局コードをメモリ（不図示）に格納させ、この格納させた基地局コードと異なる基地局コードを受信するごとに、メモリに格納されている基地局コードを更新させる。したがって、メモリには、自機が在圏する最新の基地局コードが格納されることになる。
【００１６】
テレビ放送波受信部１２は、テレビ放送局から送信されたテレビ放送波を受信する。電界強度測定部１３は、テレビ放送波受信部１２により受信されたテレビ放送波の電界強度を測定する。
【００１７】
電界強度判定部１４は、電界強度測定部１３により測定された電界強度が閾値以下であるか否かを判定する。この閾値は、難視聴状態となる電界強度域の上限値に設定される。これにより、テレビ放送波の電界強度が閾値を超えると判定された場合には、テレビ視聴が可能な状態であると判断することができる一方、電界強度が閾値以下であると判定された場合には、テレビ視聴が困難な状態であると判断することができる。
【００１８】
コンテンツ抽出部１５は、電界強度判定部１４により電界強度が閾値以下であると判定された場合に、無線信号受信部１１によりメモリに格納された最新の基地局コードに基づいて、この基地局コードに対応する表示時間を、後述する表示エリア格納部１Ａから抽出する。また、コンテンツ抽出部１５は、表示エリア格納部１Ａから抽出した表示時間に基づいて、この表示時間内に再生可能なコンテンツを、後述するコンテンツ情報格納部１Ｂから抽出する。すなわち、コンテンツ抽出部１５は、電界強度が閾値以下になった場合に、無線信号受信部１１により受信された無線信号に含まれる基地局コードごとに予め設定された表示時間に基づいて、この表示時間内に再生可能なコンテンツを、予め記憶されたコンテンツ情報から抽出する。なお、コンテンツとしては、例えば、コマーシャル映像が該当する。
【００１９】
ここで、図３を参照して、前述した表示エリア格納部１Ａに格納される表示エリア情報のデータ構成について説明する。表示エリア情報は、データ項目として、例えば、地点、基地局コード、表示時間を有する。なお、この表示エリア情報は、コンテンツ管理サーバ２０から随時配信される情報である。
【００２０】
図３に示す地点には、例えば“Ａ”や“Ｂ”のように、基地局４０が設置されている位置に対応する地点名が格納される。基地局コードには、例えば、“ＸＸＸ００１”や“ＸＸＸ００２”のように、基地局４０を一意に特定する識別コードが格納される。
【００２１】
図３に示す表示時間には、例えば“１２０”や“４５”のように携帯電話機１０においてコンテンツを表示させる時間（秒）が格納される。具体的に説明すると、例えば、難視聴状態となる地域を通過するのに要する時間が、表示時間に格納される。難視聴状態となる地域を通過するのに要する時間としては、例えば、一の基地局４０によりカバーされる無線エリア内に鉄道用の線路が敷かれていて、その線路上にトンネルが設けられているような場合に、電車がトンネルに入ってから出るまでにかかるトンネル通過時間が該当する。このような状況について、図４および図５を参照して具体的に説明する。
【００２２】
まず、図４を参照して説明する。図４（ａ）は、地点Ａをカバーする無線エリアＡａ、地点Ｂをカバーする無線エリアＢａ、地点Ｃをカバーする無線エリアＣａおよび地点Ｄをカバーする無線エリアＤａ内に鉄道用の線路Ｒが敷かれていて、その線路Ｒ上にトンネルＴが設けられている状態を模式的に示したものである。図４（ｂ）は、線路Ｒ上を走行する電車内におけるテレビ放送波の電界強度Ｅｂ[Ｖ／ｍ]の時刻[ｔ]ごとの変位と、無線通信波の電界強度Ｅｃ[Ｖ／ｍ]の時刻[ｔ]ごとの変位とを表したものである。図４（ｂ）に示すＶは、テレビ放送波の電界強度Ｅｂの閾値である。
【００２３】
図４（ａ）に示すように、電車が図面上の左側から右側に向けて線路Ｒ上を走行する場合に、当該電車は、時刻ｔ１から時刻ｔ２にかけてトンネルＴ内を通過することとなる。そして、図４（ｂ）に示すように、トンネルＴ内では、テレビ放送波の電界強度Ｅｂが閾値Ｖを下回っている。すなわち、トンネルＴ内は難視聴状態である。
【００２４】
したがって、無線エリアＡａから無線エリアＤａに向かって走行する電車が、無線エリアＣａ内を走行している最中にテレビ放送波の電界強度Ｅｂが閾値Ｖを下回った場合には、電車がトンネルＴ内を通過中であると想定することができる。このトンネルＴ内を通過するのに要するトンネル通過時間は、時刻ｔ２から時刻ｔ１を減算することにより求めることができる。そして、この求めたトンネル通過時間を、表示エリア情報の無線エリアＣａに対応する表示時間に格納することとなる。
【００２５】
これにより、無線エリアＣａ内を移動中の携帯電話機１０においてテレビ放送波の電界強度Ｅｂが閾値Ｖを下回った場合に、無線エリアＣａに対応して格納されている表示時間、すなわちトンネル通過時間を参照することができる。そして、携帯電話機１０内に格納されているコンテンツを、トンネル通過時間に合わせて再生させることができる。つまり、テレビ放送波の受信中に難視聴状態に陥った場合には、難視聴状態が継続するであろうと予測される時間中、テレビ番組に替わる映像を画面上に表示させることができる。
【００２６】
次に、図５を参照して説明する。図５（ａ）は、上述した図４（ａ）に示すトンネルＴ内に、トンネルＴ内の地点Ｚをカバーする無線エリアＺａをさらに設けた状態を模式的に示したものである。図５（ｂ）は、上述した図４（ｂ）と同様に、線路Ｒ上におけるテレビ放送波の電界強度Ｅｂ[Ｖ／ｍ]の時刻[ｔ]ごとの変位と、無線通信波の電界強度Ｅｃ[Ｖ／ｍ]の時刻[ｔ]ごとの変位とを表したものである。
【００２７】
図５（ｂ）に示すように、トンネルＴ内では、テレビ放送波の電界強度Ｅｂが閾値Ｖを下回っている。つまり、難視聴状態である。一方、無線通信波の電界強度Ｅｃは、トンネルＴ内に無線エリアＺａを設けたことにより、トンネルＴ外におけるレベルとほぼ同等のレベルを保っている。したがって、トンネルＴ内では、無線エリアＺａを形成する基地局４０の基地局コードを取得することができるとともに、この基地局コードに基づいて表示時間を参照することもできる。このように、難視聴状態となる地域ごとに基地局を設置することで、難視聴地域が近隣に複数存在するような場合であっても、各難視聴地域ごとに表示時間を設定することができる。すなわち、それぞれの難視聴地域に適応した表示時間を設定することが可能になる。なお、無線エリアＺａに対応する表示エリア情報の表示時間には、時刻ｔ２から時刻ｔ１を減算することにより求められたトンネル通過時間が格納されることとなる。
【００２８】
次に、図６を参照して、前述したコンテンツ情報格納部１Ｂに格納されるコンテンツ情報のデータ構成について説明する。コンテンツ情報は、データ項目として、例えば、コンテンツＩＤ、再生期間、視聴地域、視聴場所、対象ユーザ、再生時間、再生曜日、再生時間帯、ジャンル、優先度、再生回数、累積回数およびコンテンツを有する。これらの各データ項目は、コンテンツを抽出する際の条件項目として用いられる。なお、このコンテンツ情報は、累積回数を除き、コンテンツ管理サーバ２０から随時配信される情報である。
【００２９】
図６に示すコンテンツＩＤには、例えば、“０００１”や“０００２”のように、コンテンツを一意に特定する識別コードが格納される。コンテンツは、このコンテンツＩＤに対応づけられて格納されている。
【００３０】
図６に示す再生時間には、例えば“１５”や“３０”のようにコンテンツの再生時間（秒）が格納される。この再生時間は、基地局コードごとに設定された表示時間内に再生可能なコンテンツを抽出する際に参照される。したがって、例えば、基地局コードごとに設定された表示時間が４５秒である場合には、再生時間に４５秒が格納されているコンテンツが抽出されることがあるとともに、再生時間に３０秒が格納されているコンテンツと１５秒が格納されているコンテンツとが抽出されることがある。
【００３１】
なお、抽出されるコンテンツの再生時間は、基地局コードごとに設定された表示時間以下であって、かつ当該表示時間に最も近くなることが好ましいが、少なくとも表示時間内に再生可能な時間であればよい。これにより、テレビ放送波の電界強度が閾値以下になると予想される表示時間内に、一のコンテンツにより表現される一連の映像の全てを視聴させることができる。さらに、コンテンツの再生時間が、表示時間に最も近くなるようにすることで、より多くの完結するコンテンツを表示させることができる。
【００３２】
図６に示す視聴地域には、コンテンツを再生させる地域を指定するための情報が格納される。例えば、この視聴地域に“関東”が格納されている場合には、携帯電話機１０が関東地方に在圏しているときに再生されるコンテンツであることを示す。
【００３３】
図６に示す視聴場所には、コンテンツを優先的に再生させる場所を指定するための情報が格納される。例えば、この視聴場所に“駅”が格納されている場合には、携帯電話機１０が駅に在圏しているときに、他のコンテンツよりも優先して再生されるコンテンツであることを示す。なお、携帯電話機１０が駅に在圏しているか否かは、例えば、駅に設置された無線ＬＡＮのアクセスポイントから送信される無線信号を受信することにより判断することができる。すなわち、無線信号に含まれるアクセスポイントを一意に特定する識別コードに基づいて、当該識別コードに対応して記憶されている設置場所情報を参照して、駅にいるか否かを判断することができる。識別コードに対応させた設置場所情報は、コンテンツ管理サーバ２０内のメモリに格納してもよいし、携帯電話機１０内のメモリに格納してもよい。
【００３４】
図６に示す対象ユーザには、コンテンツを再生させる対象となるユーザ層を指定するための情報が格納される。例えば、対象となるユーザ層として、Ｍ１を２０〜３５歳の男性、Ｍ２を３６〜５０歳の男性、Ｍ３を５１歳以上の男性、Ｆ１を２０〜３５歳の女性、Ｆ２を３６〜５０歳の女性、Ｆ３を５１歳以上の女性で構成される各種のユーザ層を設定したとする。このような場合において、例えば、対象ユーザに、“Ｍ１〜Ｍ３”が格納されている場合には、携帯電話機１０を所持しているユーザが２０歳以上の男性である場合に再生されるコンテンツであることを示す。なお、携帯電話機１０を所持しているユーザの年令および性別は、ユーザ情報格納部１Ｃ（図７参照）に格納されている。ユーザ情報格納部１Ｃに格納されるユーザ情報（例えば、年令、性別、ジャンル）は、ユーザにより任意に設定される情報である。
【００３５】
図６に示す再生期間には、コンテンツを再生させる期間を指定するための情報が格納される。例えば、この再生期間に“２００４／１〜１１”が格納されている場合には、現在の年月が２００４年の１月〜１１月である場合に再生されるコンテンツであることを示す。
【００３６】
図６に示す再生曜日には、コンテンツを再生させる曜日を指定するための情報が格納される。例えば、この再生曜日に“月〜金”が格納されている場合には、現在の曜日が月曜日〜金曜日である場合に再生されるコンテンツであることを示す。
【００３７】
図６に示す再生時間帯には、コンテンツを再生させる時間帯を指定するための情報が格納される。例えば、この再生時間帯に“１７〜２４”が格納されている場合には、現在の時刻が１７：００〜２４：００の間である場合に再生されるコンテンツであることを示す。
【００３８】
図６に示すジャンルには、コンテンツを優先的に再生させるジャンルを指定するための情報が格納される。例えば、ジャンルに、“自動車”が格納されている場合には、携帯電話機１０を所持しているユーザが自動車に興味を有している場合に他のコンテンツよりも優先して再生されるコンテンツであることを示す。なお、携帯電話機１０を所持しているユーザが興味を有するジャンルは、ユーザ情報格納部１Ｃ（図７参照）に格納されている。
【００３９】
図６に示す優先度には、コンテンツを再生する際の優先度を指定するための情報が格納される。例えば、再生する際の優先度が、高い順にａ，ｂ，ｃと設定されている場合に、図６に示すコンテンツＩＤが“０００１”であるコンテンツ（優先度“ａ”）と、コンテンツＩＤが“０００４”であるコンテンツ（優先度“ｂ”）のうち、どちらか一方のコンテンツのみを抽出することとなった場合には、優先度の高いコンテンツ（コンテンツＩＤ“０００１”）が抽出されることとなる。なお、優先度は、例えば、コンテンツがコマーシャル映像である場合には、コンテンツの広告料の高い順に設定することが好ましい。これにより、広告料の高いコンテンツから優先して再生させることが可能となり、広告料の増収を図ることができる。
【００４０】
図６に示す再生回数には、コンテンツを再生させる目標回数が格納される。例えば、この再生回数に“１０”が格納されている場合には、コンテンツを再生させる目標回数が１０回であることを示す。また、累積回数には、コンテンツを再生した回数が格納される。例えば、この累積回数に“８”が格納されている場合には、コンテンツが既に８回再生されていることを示す。
【００４１】
このような再生回数および累積回数は、例えば、コンテンツがコマーシャル映像であり、コンテンツの再生回数に応じて広告報酬が発生する契約が結ばれた場合に、広告報酬が発生する最低契約再生回数を再生回数に設定し、累積回数が再生回数に達したか否かによって広告報酬の成否判断を行う場合に利用すると特に有効である。また、このような利用をする場合に、累積回数が再生回数に到達したコンテンツを、以降の再生対象から除外することとしてもよい。これにより、特定のコンテンツの表示を必要最小限に抑えることができ、抑えた分、再生回数に達していないコンテンツを表示させることができるため、再生回数に達するコンテンツを効率よく増加させることができる。したがって、コンテンツ管理サーバ２０を管理する管理者側は、コンテンツを提供する企業等から広告料をより効率的に徴収することが可能となる。
【００４２】
次に、図２に示す表示部１６は、コンテンツ抽出部１５により抽出されたコンテンツを、テレビ放送波受信部１２により受信されたテレビ放送波に対応する番組に替えて画面上に表示させる。また、送信部１７は、コンテンツ情報に含まれるコンテンツＩＤおよび累積回数を、再生履歴情報としてコンテンツ管理サーバ２０に送信する。これにより、累積回数を含む再生履歴情報をコンテンツ管理サーバ２０側で一括して管理させることができるため、累積回数に基づいて企業側からコンテンツの提供に対する対価を徴収できるような場合には、徴収処理を効率的に行わせることが可能となる。
【００４３】
また、コンテンツ管理サーバ２０は、携帯電話機１０から受信した再生履歴情報に含まれる累積回数に基づいて、コンテンツを提供する企業等から広告報酬を徴収するための処理を実行する。
【００４４】
次に、図８を参照して携帯電話機１０において実行されるコンテンツ表示処理の動作を説明する。
【００４５】
まず、携帯電話機１０のテレビ放送波受信部１２は、テレビ放送局から送信されるテレビ放送波を受信する（ステップＳ１）。表示部１６は、テレビ放送波受信部１２により受信されたテレビ放送波に対応するテレビ番組を、携帯電話機１０の画面上に表示させる（ステップＳ２）。この処理と並行して、電界強度測定部１３は、テレビ放送波受信部１２により受信されたテレビ放送波の電界強度を測定する。
【００４６】
次に、電界強度判定部１４は、電界強度測定部１３により測定された電界強度が閾値以下であるか否かを判定する（ステップＳ３）。この判定がＮＯである場合（ステップＳ３；ＮＯ）には、処理をステップＳ１に移行して、テレビ番組の表示処理を継続する。
【００４７】
一方、ステップＳ３における判定で、電界強度判定部１４により電界強度が閾値以下であると判定された場合（ステップＳ３；ＹＥＳ）に、コンテンツ抽出部１５は、無線信号受信部１１により受信されてメモリに格納された最新の基地局コードに基づいて、この基地局コードに対応するコンテンツの表示時間を、表示エリア格納部１Ａから抽出する（ステップＳ４）。
【００４８】
次に、コンテンツ抽出部１５は、表示エリア格納部１Ａから抽出したコンテンツの表示時間に基づいて、この表示時間内に再生可能なコンテンツを、コンテンツ情報格納部１Ｂから抽出する（ステップＳ５）。表示部１６は、コンテンツ抽出部１５により抽出されたコンテンツに対応する映像を画面上に表示させる（ステップＳ６）。
【００４９】
ここで、図３，図６および図７を参照しながら、上述したステップＳ４〜Ｓ５でコンテンツ抽出部１５によってコンテンツが抽出される過程について具体的な事例データを用いて説明する。例えば、３０歳の男性（Ｍ１）が、２００４年６月２日（水）の１８時に、東京駅の駅構内（Ｂ地点）でテレビ番組を鑑賞している最中に、テレビ放送波の電界強度が閾値を下回った場合に、コンテンツ抽出部１５により抽出されるコンテンツについて説明する。
【００５０】
まず、図３に示す表示エリア情報を参照すると、東京駅の駅構内（Ｂ地点）におけるコンテンツの表示時間は、４５秒であることがわかる。次に、図６に示すコンテンツ情報を参照すると、コンテンツ情報の視聴地域に“東京駅”を含み、対象ユーザに“Ｍ１”を含み、再生期間に“２００４年６月２日”を含み、再生曜日に“水曜日”を含み、再生時間帯に“１８時”を含むコンテンツ情報は、コンテンツＩＤが“０００１”、“０００２”および“０００４”の３件であることがわかる。
【００５１】
次に、４５秒に最も近く、かつ４５秒以内に再生可能なコンテンツの候補として、コンテンツＩＤが“０００１”（１５秒）および“０００２”（３０秒）であるコンテンツの組合せと、コンテンツＩＤが“０００２”（３０秒）および“０００４”（１５秒）であるコンテンツの組合せが挙げられる。
【００５２】
次に、各コンテンツ情報の視聴場所、ジャンル、再生回数、累積回数および優先度等を総合的に勘案して、各コンテンツの優先順位が決定される。本事例の場合には、優先順位を決定付ける要因は、視聴場所、ジャンルおよび優先度にあり、これらの内容に基づいて各コンテンツの優先順位が決定されることとなる。その結果、優先順位は、コンテンツＩＤが“０００２”，“０００１”，“０００３”の順に決定される。
【００５３】
このように優先順位が決定されるのは、まず、コンテンツＩＤが“０００１”および“０００２”であるコンテンツ情報のジャンルには、ユーザが興味を有する“自動車”および“清涼飲料”が格納されていて（図７参照）優先度には“ａ”が格納されているのに対し、コンテンツＩＤが“０００３”であるコンテンツ情報のジャンルには、ユーザが興味を有するジャンル以外の“温泉”が格納されていて優先度には“ｂ”が格納されているため、コンテンツＩＤが“０００３”であるコンテンツの優先順位が最も低く設定される。また、コンテンツＩＤが“０００２”であるコンテンツ情報の視聴場所には、現在ユーザが存在している“駅”が指定されているため、コンテンツＩＤが“０００２”であるコンテンツの方が“０００１”であるコンテンツよりも優先順位が高く設定されるためである。
【００５４】
この優先順位に基づいて、上記２通りの組合せのうち、コンテンツＩＤが“０００１”（１５秒）および“０００２”（３０秒）であるコンテンツの組合せが抽出されることとなる。この結果、本事例の場合には、まず、優先順位がより高いコンテンツであるコンテンツＩＤが“０００２”のコンテンツが３０秒間再生され、次に、コンテンツＩＤが“０００１”のコンテンツが１５秒間再生されることとなる。
【００５５】
以上のように、本実施形態における携帯電話機１０によれば、テレビ放送波の電界強度が閾値以下になった場合には、携帯電話機１０が在圏する基地局４０の基地局コードごとに定められた表示時間に基づいて、この表示時間内に再生可能なコンテンツが抽出されるため、抽出されたコンテンツをテレビ放送波に対応する番組に替えて画面上に表示させることができる。したがって、テレビ放送波を受信しているときに難視聴状態に陥った場合であってもユーザが認識可能な映像を画面上に表示させることができる。
【００５６】
なお、上述した実施形態においては、コンテンツの表示時間を決める際の位置情報として、基地局４０の基地局コードを用いているが、本発明に係る位置情報は基地局コードに限られない。位置情報としては、例えば、無線ＬＡＮのアクセスポイントを一意に特定する識別コードであってもよいし、BluetoothやIrDA（Infrared Data Association）等の短距離無線通信機能を有する無線機器を一意に特定する識別コードであってもよい。また、複数のＧＰＳ（Global Positioning System）衛星から送信される無線信号に基づいて算出される緯度・経度であってもよい。
【００５７】
ここで、無線ＬＡＮのアクセスポイントの識別コードを位置情報とする場合には、アクセスポイントから送信された無線信号を無線信号受信部１１で受信し、受信した無線信号に含まれるアクセスポイントの識別コードを、メモリに格納すればよい。また、図３に示す表示エリア情報の基地局コードには、アクセスポイントの識別コードを格納すればよい。
【００５８】
次に、短距離無線通信機能を有する無線機器の識別コードを位置情報とする場合には、無線機器から送信された無線信号を無線信号受信部１１で受信し、受信した無線信号に含まれる無線機器の識別コードを、メモリに格納すればよい。また、図３に示す表示エリア情報の基地局コードには、無線機器の識別コードを格納すればよい。
【００５９】
次に、複数のＧＰＳ衛星から受信した無線信号に基づいて算出される緯度・経度を位置情報とする場合には、各ＧＰＳ衛星から送信された無線信号を無線信号受信部１１で受信し、受信した無線信号に基づいて算出される緯度・経度を、メモリに格納すればよい。また、図３に示す表示エリア情報の基地局コードには、緯度・経度を格納すればよい。
【００６０】
これらの位置情報を用いる場合には、基地局コードよりも細かく位置情報を設定することができるため、例えば、難視聴地域が基地局の無線エリア内に複数存在するような場合には、各難視聴地域ごとにアクセスポイントや上記無線機器を設置することや、ＧＰＳ衛星を利用することにより、各難視聴地域ごとに表示時間を設定することができる。すなわち、様々な範囲を有する難視聴地域に適応した表示時間を設定することができる。
【００６１】
また、図６に示すコンテンツ情報の再生曜日や再生時間帯等の抽出条件項目を、図３に示す表示エリア情報に含めることとし、コンテンツを抽出する際に、表示エリア情報を参照して抽出することとしてもよい。これにより、表示エリアごとに特有のコンテンツを表示させることが可能となる。
【図面の簡単な説明】
【００６２】
【図１】発明の実施形態における通信システムのシステム構成を示す図である。
【図２】図１に示す携帯電話機の機能構成を示すブロック図である。
【図３】表示エリア格納部に格納される表示エリア情報のデータ構成を示す図である。
【図４】地点Ａから地点Ｄまで移動する際のテレビ放送波および無線通信波の電界強度を説明するための図である。
【図５】地点Ａから地点Ｄまで移動する際のテレビ放送波および無線通信波の電界強度を説明するための図である。
【図６】コンテンツ情報格納部に格納されるコンテンツ情報のデータ構成を示す図である。
【図７】ユーザ情報格納部に格納されるユーザ情報のデータ構成を示す図である。
【図８】携帯電話機において実行されるコンテンツ表示処理の動作を示すフローチャートである。
【符号の説明】
【００６３】
１・・・通信システム、１０・・・携帯電話機、１１・・・無線信号受信部、１２・・・テレビ放送波受信部、１３・・・電界強度測定部、１４・・・電界強度判定部、１５・・・コンテンツ抽出部、１６・・・表示部、１７・・・送信部、１Ａ・・・表示エリア格納部、１Ｂ・・・コンテンツ情報格納部、１Ｃ・・・ユーザ情報格納部、２０・・・コンテンツ管理サーバ、３０・・・通信回線、４０・・・基地局。
【図１】
2005354316.tif 000003
【図２】
2005354316.tif 000004
【図３】
2005354316.tif 000005
【図４】
2005354316.tif 000006
【図５】
2005354316.tif 000007
【図６】
2005354316.tif 000008
【図７】
2005354316.tif 000009
【図８】
2005354316.tif 000010